(57)【要約】【課題】ブリスターパックにより包装されたヘルメットを無駄なく陳列販売できるようにする。【解決手段】ブリスターカバー３の窪み３２にヘルメット２を収めてブリスターカバー３と台紙５とを一体化した状態において、台紙５における略半円上に湾曲した部分が幅ＤＤだけ碗部３１の側に食み出し、台紙５における碗部３１の側に食み出した部分によりヘルメット２における開口ＯＰの周縁が支持される。そして、ヘルメット２の開口ＯＰにおける台紙５に支持された部分の内側の部分が露出する。【選択図】図７
2014055007.tif 000002
【特許請求の範囲】
【請求項１】
包装対象物であるヘルメットと略同じ形状に窪んだ碗部と、前記碗部の窪みの周縁から前方に向かって延在する平板部と、前記平板部の左端縁を前記碗部の窪み方向と反対側に折り返してなる第１の折り返し部と、前記平板部の右端縁を前記碗部の窪み方向と反対側に折り返してなる第２の折り返し部と、前記平板部の前端縁を前記碗部の窪み方向と反対側に折り返してなる第３の折り返し部とを有するブリスターカバーと、
前記第１及び第２の折り返し部の後方から前記第１及び第２の折り返し部間に差し込み前記第３の折り返し部に当接するまで前方にスライドさせることにより前記ブリスターカバーと一体化される台紙と
を具備し、
前記ブリスターカバーの窪みに前記ヘルメットを収めて前記ブリスターカバーと前記台紙とを一体化した状態において、前記ヘルメットにおける装着者の頭部を入れる開口の周縁の一部分が前記台紙における前記第３の折り返し部に当接している部分と反対側の部分により下から支持され、前記開口における前記台紙に支持されている部分の内側の部分が露出するように構成されていることを特徴とするヘルメット包装用のブリスターパック。
【請求項２】
前記台紙における前記第３の折り返し部に当節する部分と反側の部分は略半円状に湾曲しており、前記ブリスターカバーの窪みに前記ヘルメットを収めて前記ブリスターカバーと前記台紙とを一体化した状態において、前記台紙における略半円状に湾曲した部分が前記碗部の側に均一の幅をもって食み出し、この食み出した部分により前記ヘルメットにおける装着者の頭部を入れる開口の周縁の一部分が支持されることを特徴とする請求項１に記載のブリスターパック。
【請求項３】
前記ブリスターカバーは、
前記碗部の窪みの周縁における前記平板部と反対側の部分を凸ませてなる第１及び第２の凸部を有し、前記第１の凸部及び前記第２の凸部には、前記ヘルメットの顎紐を固定するための孔が穿設されていることを特徴とする請求項２に記載のブリスターパック。
【発明の詳細な説明】
【技術分野】
【０００１】
この発明は、ヘルメットを包装する技術に関する。
【背景技術】
【０００２】
ブリスターパックと呼ばれる商品包装技術が普及している。ブリスターパックは、透明樹脂を膨隆状に成形したブリスターカバーの膨隆状部内に商品を入れて台紙により施蓋したものである。ブリスターパックにより商品を包装した場合、包装を開けずにその中身を見ることができる。このため、ブリスターパックは、乾電池、事務用品、玩具、日用雑貨といった多種多様な商品の包装容器として幅広く利用されている。ブリスターパックに関わる技術を開示した文献として、たとえば、特許文献１がある。
【先行技術文献】
【特許文献】
【０００３】
【特許文献１】特開２００５−７５４６０号公報
【発明の概要】
【発明が解決しようとする課題】
【０００４】
ブリスターパックにより包装して販売される商品の１つにヘルメットがある。ヘルメットの購入者の中には、各種ヘルメットのうち自身の頭のサイズに最もフィットするものを選びたい、という希望を持つ者もいる。しかしながら、従来のヘルメットのブリスターパックは、包装を開けずに被ることができなかった。このため、ヘルメットの取扱店舗では、販売用のヘルメットのほかに包装されていないものを試着品として展示せざるを得ず、商品の陳列場所を省スペース化し難いという問題があった。
【０００５】
本発明は、このような課題に鑑みてなされたものであり、ブリスターパックにより包装されたヘルメットを無駄なく陳列販売できるようにすることを目的とする。
【課題を解決するための手段】
【０００６】
上記課題を解決するため、本発明は、包装対象物であるヘルメットと略同じ形状に窪んだ碗部と、前記碗部の窪みの周縁から前方に向かって延在する平板部と、前記平板部の左端縁を前記碗部の窪み方向と反対側に折り返してなる第１の折り返し部と、前記平板部の右端縁を前記碗部の窪み方向と反対側に折り返してなる第２の折り返し部と、前記平板部の前端縁を前記碗部の窪み方向と反対側に折り返してなる第３の折り返し部とを有するブリスターカバーと、前記第１及び第２の折り返し部の後方から前記第１及び第２の折り返し部間に差し込み前記第３の折り返し部に当接するまで前方にスライドさせることにより前記ブリスターカバーと一体化される台紙とを具備し、前記ブリスターカバーの窪みに前記ヘルメットを収めて前記ブリスターカバーと前記台紙とを一体化した状態において、前記ヘルメットにおける装着者の頭部を入れる開口の周縁の一部分が前記台紙における前記第３の折り返し部に当接している部分と反対側の部分により下から支持され、前記開口における前記台紙に支持されている部分の内側の部分が露出するように構成されているヘルメット包装用のブリスターパックを提供する。
【０００７】
本発明では、ブリスターカバーの窪みにヘルメットを収めてブリスターカバーと台紙とを一体化した状態において、ヘルメットの開口の周縁の一部分が台紙の第３の折り返し部に当接している部分と反対側の部分により下から支持され、開口における台紙に支持されている部分の内側の部分が露出する。このため、顧客は、この露出した側からヘルメットの開口内に頭を入れることによりブリスターパック内のヘルメットを被り、そのサイズのフィット感を確かめることができる。よって、本発明によると、ヘルメットの取り扱い店舗では、未包装の同種のヘルメットを売り場に展示する必要がなくなる。従って、本発明によると、商品の陳列場所により多くの販売品を陳列し、販売効率を高めることができる。
【図面の簡単な説明】
【０００８】
【図１】本発明の一実施形態であるブリスターパックの斜視図である。
【図２】同パックにおけるブリスターカバーの正面図である。
【図３】図２を矢印Ａ方向から見た図である。
【図４】図２を矢印Ｂ方向から見た図である。
【図５】図２を矢印Ｃ方向から見た図である。
【図６】図１のブリスターパックにおける台紙の正面図および側面図である。
【図７】図１のブリスターパックを下方から見た図である。
【発明を実施するための形態】
【０００９】
以下、図面を参照しつつ本発明の実施形態について説明する。図１は、本発明の一実施形態であるブリスターパック１及びこのパック１により包装されたヘルメット２を左斜め上方から見た図である。ブリスターパック１の包装対象物であるヘルメット２はハーフタイプと称されるものである。ヘルメット２の最外殻をなす部材である帽体（シェル）ＳＨＬは略半球状をなしている。帽体ＳＨＬの前部には三日状の庇ＰＫが設けられている。また、帽体ＳＨＬの内側にはライナー（衝撃吸収材）ＬＮＲ（図１において不図示、図７参照）が設けられており、その内側には内装材ＩＮＴ（図１において不図示、図７参照）が設けられている。ヘルメット２の内側にはドーム状の開口ＯＰ（図１において不図示、図７参照）がある。ヘルメット２の開口ＯＰの周縁における左右に離間した位置には顎紐ＢＬＴＬ及びＢＬＴＲの端部が固定されている。
【００１０】
ブリスターパック１は、透明樹脂製のブリスターカバー３とこれを背後から施蓋する台紙５とからなる。図２は、ブリスターカバー３を上から見た図である。図３は、図２を矢印Ａ方向から見た図である。図４は、図２を矢印Ｂ方向から見た図である。図５は、図２を矢印Ｃ方向から見た図である。図６（Ａ）は、台紙５を上から見た図である。図６（Ｂ）は、図６（Ａ）を矢印Ｄ方向から見た図である。
【００１１】
図２、図３、図４、図５に示すように、ブリスターカバー３は、左右幅Ｗ１（例えば、Ｗ１＝２２５ｍｍ）、前後幅Ｌ１（例えば、Ｌ１＝３８０ｍｍ）、及び上下幅Ｈ１（例えば、Ｈ１＝３５０ｍｍ）の寸法を有している。ブリスターカバー３は、ヘルメット２の帽体ＳＨＬと略同じ形状に窪んだ碗部３１と、碗部３１の窪み３２の周縁３３から前方に向かって延在する平板部３４と、平板部３４の左端縁３５Ｌ、右端縁３５Ｒ、及び前端縁３５Ｆを碗部３１の窪み方向と反対側に折り返してなる第１の折り返し部３６Ｌ、第２の折り返し部３６Ｒ、及び第３の折り返し部３６Ｆと、碗部３１の窪み３２の周縁３３における平板部３４と反対側の部分を窪み３２の周縁３３の中心から周縁３３に向かう方向に凸ませてなる第１の凸部３７Ｌ及び第２の凸部３７Ｒとを有する。
【００１２】
より詳細に説明すると、碗部３１における窪み３２の周縁３３は、長径ａ１（例えば、ａ１＝２４０ｍｍ）及び短径ｂ１（例えば、ｂ１＝２２５ｍｍ）の寸法を持った楕円状をなしている。平板部３４は、碗部３１の周縁３３における短径ｂ１の前側の半円状の部分において碗部３１と繋がっている。平板部３４の左端縁３５Ｌ及び右端縁３５Ｒは碗部３１の周縁３３における短径ｂ１方向に対向する各位置から前方に向かって直進している。左端縁３５Ｌ及び右端縁３５Ｒの各々の前端は内側に湾曲し、各々の湾曲した先は前端縁３５Ｆと繋がっている。
【００１３】
平板部３４の左端縁３５Ｌにおける幅Ｌ１方向の略真中の位置には折り返し部３６Ｌがある。平板部３４の右端縁３５Ｒにおける幅Ｌ１方向の略真中の位置には折り返し部３６Ｒがある。図４及び図５に示すように、折り返し部３６Ｌは、平板部３４の左端縁３５Ｌから下側に向かって凸んだ凸部３８Ｌと凸部３８Ｌの下端から右に向かって凸んだ凸部３９Ｌとからなる。折り返し部３６Ｒは、平板部３４の右端縁３５から下側に向かって凸んだ凸部３８Ｒと凸部３８Ｒの下端から左に向かって凸んだ凸部３９Ｒとからなる。折り返し部３６Ｌの凸部３８Ｌと平板部３４は台紙５の厚さと略同じ間隔の隙間を挟んで平行対面している。折り返し部３６Ｒの凸部３８Ｒと平板部３４は台紙５の厚さと略同じ間隔の隙間を挟んで平行対面している。平板部３４の前端縁３５Ｆにおける幅Ｗ１方向の略真中の位置には折り返し部３６Ｆがある。図３に示すように、折り返し部３６Ｆは、平板部３４の前端縁３５Ｆから下側に向かって凸んだ凸部３８Ｆと凸部３８Ｆの下端から後方に向かって凸んだ凸部３９Ｆとからなる。折り返し部３６Ｆの凸部３９Ｆと平板部３４は台紙５の厚さと略同じ間隔の隙間を挟んで平行対面している。
【００１４】
平板部３４における前端縁３５Ｆの僅かに内側の中央にはフック孔６１が穿設されている。折り返し部３６Ｆの凸部３９Ｆにおけるフック孔６１の真下の部分には半円状の切欠きが設けられている。
【００１５】
平板部３４における碗部３１との境界部分（碗部３１の周縁３３における短径ｂ１の前側の半円状の部分）の前側には窪み４０が形成されている。この窪み４０は、平板部３４における碗部３１との境界部分を包囲する三日月状の部分を碗部３１の窪み方向に厚さＨ２（例えば、Ｈ２＝５ｍｍ）だけ窪ませたものである。
【００１６】
凸部３７Ｌ及び凸部３７Ｒは、碗部３１の周縁３３における短径ｂ１の後側の各部分において碗部３１と繋がっている。凸部３７Ｌ及び凸部３７Ｒは、碗部３１の長径ａ１を対称軸とする鏡対称をなしている。凸部３７Ｌには２つの孔４１ＬＬおよび４１ＬＣが穿設されている。凸部３７Ｒには２つの孔４１ＲＲおよび４１ＲＣが穿設されている。
【００１７】
図６（Ａ）及び図６（Ｂ）に示すように、台紙５は、矩形の一部を半円状に切り欠いたような形状をなしている。台紙５の上面５１及び下面５２は、前端縁５３Ｆ、左端縁５３Ｌ、右端縁５３Ｒ、後端縁５３ＢＣ、５３ＢＬ、及び５３ＢＲに包囲されている。台紙５の左端縁５３Ｌの長さはブリスターカバー３の左端縁３５Ｌの長さと略同じである。台紙５の右端縁５３Ｒの長さはブリスターカバー３の右端縁３５Ｒの長さと略同じである。台紙５の左端縁５３Ｌ及び右端縁５３Ｒはブリスターカバー３の左端縁５３Ｌ及び右端縁３５Ｒ間と同じ距離だけ離れている。台紙５の左端縁５３Ｌ及び右端縁５３Ｒの各々の前端は内側に湾曲し、各々の湾曲した先は前端縁５３Ｆと繋がっている。台紙５における前端縁５３Ｆの僅かに内側の中央にはフック孔７１が穿設されている。
【００１８】
台紙５の左端縁５３Ｌにおける前端縁５３Ｆと繋がっている側と反対側の端部は後端縁５３ＢＬと直交している。台紙５の右端縁５３Ｒにおける前端縁５３Ｆと繋がっている側と反対側の端部は後端縁５３ＢＲと直交している。後端縁５３ＢＬ及び後端縁５３ＢＲの各々は左端縁５３Ｌ及び右端縁５３Ｒとの交差位置から内側に僅かな距離Ｗ２だけ直進し、各々の直進した先は後端縁５３ＢＣと繋がっている。後端縁５３ＢＣは、前端縁５３Ｆの側に向かって半円状に湾曲している。台紙５の後端縁５３ＢＣ上の各点と前端縁５３Ｆとの間の前後幅Ｌ１方向の寸法は、平板部３４における碗部３１との境界部分（碗部３１の周縁３３における短径ｂ１の前側の半円状の部分）上の各点と前端縁３５Ｆとの間の前後幅Ｌ１方向の寸法よりも大きくなっている。
【００１９】
台紙５は、左端縁５３Ｌ及び右端縁５３Ｒをブリスターカバー３の折り返し部３６Ｌおよび３６Ｒの後方から折り返し部３６Ｌおよび３６Ｒに差し込み前端縁５３Ｆが折り返し部３６Ｆに当節するまで前方にスライドさせることにより、ブリスターカバー３と一体化される。
【００２０】
図７は、ブリスターカバー３の窪み３２にヘルメット２を収めてブリスターカバー３と台紙５とを一体化した状態を下から見た図である。この状態において、凸部３７Ｌには同部３７Ｌの孔４１ＬＬおよび４１ＬＣに挿通されたケーブルタイ５０Ｌによりヘルメット２の顎紐ＢＬＴＬが固定される。凸部３７Ｒには同部３７Ｒの孔４１ＲＲおよび４１ＲＣに挿通されたケーブルタイ５０Ｒによりヘルメット２の顎紐ＢＬＴＲが固定される。また、この状態において、台紙５における略半円上に湾曲した部分が幅ＤＤ（より具体的には、台紙５の後端縁５３ＢＣ上の各点と前端縁５３Ｆとの間の幅Ｌ１方向の寸法と平板部３４における碗部３１との境界部分上の各点と前端縁３５Ｆとの間の幅Ｌ１方向の寸法との寸法差）だけ碗部３１の側に食み出し、台紙５における碗部３１の側に食み出した部分によりヘルメット２における開口ＯＰの周縁（より具体的には、ヘルメット２の帽体ＳＨＬ及びライナーＬＮＲの縁における庇ＰＫ側の半分）が支持される。そして、ヘルメット２の開口ＯＰにおける台紙５に支持された部分の内側の部分が露出する。また、ヘルメット２の庇ＰＫはブリスターカバー３の窪み４０と台紙５の上面５１との間の空間に収容されている。また、ブリスターカバー３の平板部３４のフック孔６１と台紙５のフック孔７１は重なって一つの孔を形成している。
【００２１】
以上が、本実施形態の構成の詳細である。本実施形態によると次の効果が得られる。
第１に、本実施形態では、ブリスターカバー３の窪み３２にヘルメット２を収めてブリスターカバー３と台紙５とを一体化した状態において、ヘルメット２の開口ＯＰの周縁の一部分が台紙５の折り返し部３６Ｆに当接している部分と反対側の部分により下から支持され、開口ＯＰにおける台紙５に支持されている部分の内側の部分が露出する。このため、顧客は、この露出した側からヘルメット２の開口ＯＰ内に頭を入れることによりブリスターパック１内のヘルメット２を被り、そのサイズのフィット感を確かめることができる。よって、本実施形態によると、ヘルメット２の取り扱い店舗では、未包装の同種のヘルメット２を売り場に展示する必要がなくなる。従って、本実施形態によると、商品の陳列場所により多くの販売品を陳列し、販売効率をより高めることができる。
【００２２】
第２に、本実施形態では、台紙５における略半円状に湾曲した部分が碗部３１の側に均一の幅をもって食み出し、この食み出した部分によりヘルメット２における装着者の頭部を入れる開口ＯＰの周縁の一部分が支持される。このため、顧客の前頭部を台紙５に接触させずにヘルメット２の着脱を行なうことができる。よって、顧客がヘルメット２の着脱を繰り返すうちに台紙５が撚れて見栄えが悪くなる、という事態の発生が防止される。
【００２３】
第３に、本実施形態では、碗部３１の窪み３２の周縁３３における平板部３４と反対側の部分を凸ませてなる凸部３７Ｌ及び３７Ｒを有している。そして、凸部３７Ｌにはヘルメット２の顎紐ＢＬＴＬをケーブルタイ５０Ｌにより固定するための孔４１ＬＬ、４１ＬＣが穿設されており、凸部３７Ｒにはヘルメット２の顎紐ＢＬＴＲをケーブルタイ５０Ｒにより固定するための孔４１ＲＲ、４１ＲＣが穿設されている。ここで、ヘルメット２の顎紐ＢＬＴＬ、ＢＬＴＲをケーブルタイ５０Ｌ、５０Ｒにより凸部３７Ｌ、３７Ｒに固定した場合、ケーブルタイ５０Ｌ、５０Ｒを切断しなければヘルメット２をブリスターカバー３から取り外すことができない。よって、本実施形態によると、ブリスターパック１内のヘルメット２だけを取り出して鞄に入れて店外に持ち出す、といった行為をし難くなる。従って、本実施形態によると、ヘルメット２の盗難を発生し難くすることができる。
【００２４】
第４に、本実施形態では、平板部３４における前端縁３５Ｆの僅かに内側の中央にはフック孔６１が設けられており、台紙５における前端縁５３Ｆの僅かに内側の中央にはフック孔７１が設けられている。よって、複数個のヘルメット２を包装したブリスターパック１を前後に並べてそれらのブック孔６１、７１内にフックを通すことにより、複数個のヘルメット２を整然と陳列することができる。
【００２５】
以上、本発明の一実施形態について説明したが、かかる実施形態に以下の変形を加えてもよい。
（１）上記実施形態では、ブリスターカバー３の窪み３２にヘルメット２を収めてブリスターカバー３と台紙５とを一体化した状態において、台紙５における略半円状に湾曲した部分が碗部３１の側に均一の幅をもって食み出していた。しかし、この食み出し部分の幅は均一である必要はない。たとえば、碗部３１における前側の食み出し部分の幅を厚くし、左右両側の部分の幅を薄くしてもよい。
【００２６】
（２）上記実施形態では、ブリスターカバー３の窪み３２にヘルメット２を収めてブリスターカバー３と台紙５とを一体化した状態において、ヘルメットの顎紐ＢＬＴＬ、ＢＬＴＲはケーブルタイ５０Ｌ、５０Ｒにより凸部３７Ｌ及び３７Ｒに固定された。しかし、ケーブルタイ５０Ｌ、５０Ｒの代わりに紐やゴムなどを用いてもよい。
【００２７】
（３）上記実施形態における左右幅Ｗ１、前後幅Ｌ１、上下幅Ｈ１、長径ａ１、及び短径ｂ１の寸法値はあくまで一例にすぎず、左右幅Ｗ１、前後幅Ｌ１、上下幅Ｈ１、長径ａ１、及び短径ｂ１の寸法値は任意に決定してもよい。
【符号の説明】
【００２８】
１…ブリスターパック、２…ヘルメット、３…ブリスターカバー、５…台紙、３１…碗部、３２，４０…窪み、３３…周縁、３４…平板部、３５，５３…縁部、３６…折り返し部、３７，３８，３９…凸部、４１…孔、５１…上面、５２…下面。
【図１】
2014055007.tif 000003
【図２】
2014055007.tif 000004
【図３】
2014055007.tif 000005
【図４】
2014055007.tif 000006
【図５】
2014055007.tif 000007
【図６】
2014055007.tif 000008
【図７】
2014055007.tif 000009